(57)【要約】      （修正有）【課題】ワカサギ釣り等に用いられる電動リールにおいて、釣竿の方向を変更する際に電動リール全体を動かしたり、電動リールをグリップして釣竿の先端を傾けたりすることなく、釣竿を上下方向に回動調整出来る釣用電動リールを提供する。【解決手段】リール本体１１とスプールシャフト１０とスプール１３とを備える釣用電動リールにおいて、該釣用電動リールのリール本体先端に取付けられ、釣竿を抜き差し自在に嵌合支持するホルダー１５を、リール本体に対して上下方向に回動調整自在に構成した。【選択図】図１
0003183214.tif 000002
【実用新案登録請求の範囲】
【請求項１】
電源供給部を備える釣用電動リールであって、
該釣用電動リールは、
リール本体と、
該リール本体に装着されるスプールシャフトと、
該スプールシャフトに回転可能に取付けられて電動回転時に釣糸が巻かれるスプールと、
前記リール本体の先端に設けられ、釣竿を該釣竿の長さ方向抜差し自在に嵌合支持するホルダーとを備えて構成され、
該ホルダーは、リール本体に対して上下方向に回動位置調整できるように構成されていることを特徴とする釣用電動リール。
【請求項２】
ホルダーを上下方向に回動位置調整するための回動調整手段は、
リール本体に一体的に設けられるヨークと、
ホルダーに形成される取付け片と、
該取付け片をヨークに上下方向回動自在に軸支する回動軸と、
前記取付け片に対向する状態で回動軸の軸心方向には移動可能だが、軸回り方向には移動規制されるようヨークに取付けられるクリックと、
該クリックを取付け片に向けて付勢する弾性部材とを備えて構成され、
クリック、取付け片同士の互いに対向する一方の面には、回動軸の軸回り方向に沿って交互に凹部と凸部とが形成され、
他方の面には、嵌合している任意の凹部から凸部を乗り越えて隣接する凹部に嵌合する突出部が形成され、
ホルダーは、弾性部材の付勢力を受けて突出部が任意の凹部に嵌合して凸部の乗り越え回動に抵抗が与えられる自然状態から、リール本体に対して強制回動することで弾性部材の付勢力に抗して突出部が凸部を乗り越え回動してリール本体に対する上下回動位置が調整されるものであることを特徴とする請求項１記載の釣用電動リール。
【請求項３】
回動調整手段は、突出部が凸部を乗り越え回動して隣接する凹部に弾性部材の付勢力を受けて嵌合するときクリック音を発生するクリック音発生手段であることを特徴とする請求項２記載の釣用電動リール。
【請求項４】
リール本体に形成され、予め設定される角度以上のホルダーの上動を規制する第一ストッパーと、ヨークに形成され、予め設定される角度以上のホルダーの下動を規制する第二ストッパーとが形成されていることを特徴とする請求項１乃至３の何れか１記載の釣用電動リール。
【請求項５】
ホルダーの内周面に形成されるガイド部と、該ガイド部に対応するよう釣竿の外周面に形成される被ガイド部とを備え、釣竿をホルダーに差込むとき、被ガイド部がガイド部に案内されることで釣竿に設けた釣糸ガイドがリール本体に対して垂直上方に向くよう維持されることを特徴とする請求項１乃至４の何れか１記載の釣用電動リール。
【考案の詳細な説明】
【技術分野】
【０００１】
本考案は、釣用電動リールに関し、特にワカサギなどの魚を釣るために使用される電動リールに関するものである。
【背景技術】
【０００２】
一般に、冬期に氷を割ってワカサギなどの魚を釣る場合、釣糸をスプールに自動で巻くために電動リールを利用することとなるが、従来の電動リールは、釣竿を抜き差し自在に支持するホルダーが、リール本体と一体に設けられていた。
【考案の概要】
【考案が解決しようとする課題】
【０００３】
このため、釣竿を上下方向に移動調整しようとする場合には、載置された電動リールを傾けたり、また、電動リールをグリップして釣竿の先端を傾けたりしなければならず煩雑であった。
【課題を解決するための手段】
【０００４】
本考案は、上記の如き実情に鑑みこれらの課題を解決することを目的として創出されたものであって、請求項１の考案は、電源供給部を備える釣用電動リールであって、該釣用電動リールは、リール本体と、該リール本体に装着されるスプールシャフトと、該スプールシャフトに回転可能に取付けられて電動回転時に釣糸が巻かれるスプールと、前記リール本体の先端に設けられ、釣竿を該釣竿の長さ方向抜差し自在に嵌合支持するホルダーとを備えて構成され、該ホルダーは、リール本体に対して上下方向に回動位置調整できるように構成されていることを特徴とする釣用電動リールである。
請求項２の考案は、ホルダーを上下方向に回動位置調整するための回動調整手段は、リール本体に一体的に設けられるヨークと、ホルダーに形成される取付け片と、該取付け片をヨークに上下方向回動自在に軸支する回動軸と、前記取付け片に対向する状態で回動軸の軸心方向には移動可能だが、軸回り方向には移動規制されるようヨークに取付けられるクリックと、該クリックを取付け片に向けて付勢する弾性部材とを備えて構成され、クリック、取付け片同士の互いに対向する一方の面には、回動軸の軸回り方向に沿って交互に凹部と凸部とが形成され、他方の面には、嵌合している任意の凹部から凸部を乗り越えて隣接する凹部に嵌合する突出部が形成され、ホルダーは、弾性部材の付勢力を受けて突出部が任意の凹部に嵌合して凸部の乗り越え回動に抵抗が与えられる自然状態から、リール本体に対して強制回動することで弾性部材の付勢力に抗して突出部が凸部を乗り越え回動してリール本体に対する上下回動位置が調整されるものであることを特徴とする請求項１記載の釣用電動リールである。
請求項３の考案は、回動調整手段は、突出部が凸部を乗り越え回動して隣接する凹部に弾性部材の付勢力を受けて嵌合するときクリック音を発生するクリック音発生手段であることを特徴とする請求項２記載の釣用電動リールである。
請求項４の考案は、リール本体に形成され、予め設定される角度以上のホルダーの上動を規制する第一ストッパーと、ヨークに形成され、予め設定される角度以上のホルダーの下動を規制する第二ストッパーとが形成されていることを特徴とする請求項１乃至３の何れか１記載の釣用電動リールである。
請求項５の考案は、ホルダーの内周面に形成されるガイド部と、該ガイド部に対応するよう釣竿の外周面に形成される被ガイド部とを備え、釣竿をホルダーに差込むとき、被ガイド部がガイド部に案内されることで釣竿に設けた釣糸ガイドがリール本体に対して垂直上方に向くよう維持されることを特徴とする請求項１乃至４の何れか１記載の釣用電動リールである。
【考案の効果】
【０００５】
請求項１の考案とすることにより、ホルダーは、リール本体に対する上下方向の回動位置を調整出来ることになって、釣竿を上下方向に回動調整するにあたっては、ホルダーをリール本体に対して上下方向に回動位置調整すれば良く、電動リール全体を傾けたり、電動リールをグリップして電動リール全体を上下させることで釣竿を上下させる必要がなく、使い勝手の良い電動リールとすることが出来る。
請求項２の考案とすることにより、ホルダーは、リール本体に対して強制回動することによってリール本体に対する上下方向の回動位置調整がなされることになって、リール本体に対して不用意に上下移動したりすることがない。
請求項３の考案とすることにより、回動位置調整をするためにホルダーを回動するとクリック音が発生することになって、回動調整を行っていることを音で確認することが出来る。
請求項４の考案とすることにより、ホルダーの回動は、上下方向のそれぞれにおいてこれ以上の回動を規制するストッパーによって上下方向に規制された範囲内でのみ行われることになって、釣竿が不必要に上向いたり下向いたりすることがない。
請求項５の考案とすることにより、ホルダーに差し込まれた釣竿は、常に釣糸ガイドが垂直上方を向くことになって、釣糸ガイドを上方に向かせるべく釣竿を回動調整する必要がない。
【図面の簡単な説明】
【０００６】
【図１】本考案の一実施例による釣用電動リールにおいて、リール本体からスプール及び釣竿が分離した状態の斜視図である。
【図２】本考案の一実施例による釣用電動リールにおいて、リール本体と該リール本体に取付けられるホルダー、クリック、回動軸、弾性部材の分解斜視図である。
【図３】本考案の一実施例による釣用電動リールの断面図である。
【図４】本考案の一実施例による釣用電動リールにおいて、リール本体に着脱されるスプールの分解斜視図である。
【図５】本考案の一実施例による釣用電動リールにおいて、リール本体に装着されたホルダーの回動状態をあらわす概略図である。
【図６】本考案の一実施例による釣用電動リールの使用状態を示す斜視図である。
【考案を実施するための形態】
【０００７】
以下、本考案を実施するための形態について、図面に基づいて説明する。尚、以下に説明する実施例は、本考案が属する技術分野において通常の知識を有する者が考案を容易に実施することができるように詳細に説明した一実施例であって、これによって本考案の技術的な思想及び範疇が限定されるものではない。
【０００８】
図１乃至図６に図示された本考案の一実施例による釣用電動リールは、電源供給部が備えられた釣用電動リールにおいて、スプールシャフト１０が装着されるリール本体１１と、スプールシャフト１０に着脱自在に嵌合して、スプールシャフト１０とともに回転して釣糸１２が巻かれるスプール１３と、リール本体１１の先端に設けられ、リール本体１１に対して上下方向に回動位置調整自在であり、釣竿１４の一端部が長さ方向に抜き差し自在に嵌合支持されるホルダー１５を備えている。
【０００９】
前記ホルダー１５とリール本体１１とのあいだには、ホルダー１５をリール本体１１に対して上下方向に回動位置調整するための回動調整手段が設けられているが、該回動調整手段は、ホルダー１５がリール本体１１に対して回動するときにクリック音を発生させるクリック音発生手段として構成されている。
【００１０】
該クリック音発生手段は、リール本体１１の先端部に互いに対向するようにして形成される一対のヨーク１６、１７と、ホルダー１５の基端部に形成された取付け片１８をヨーク１６、１７に対して上下方向回動自在に軸支する回動軸であるネジ１９と、一方のヨーク１６に、取付け片１８に対向する状態でネジ軸の軸心方向には移動可能だが、ネジ軸の軸回り方向には移動規制されるよう取付けられるクリック２１と、該クリック２１を取付け片１８に向けて付勢する弾性部材であるコイル２３とを備えて構成されている。
【００１１】
そして、クリック２１の取付け片１８に対向する側面は、ネジ１９の軸回り方向に沿って交互に凹部２０ａと凸部２０ｂが形成される凹凸部（菊座部）２０となっているが、取付け片１８の凹凸部２０に対向する側面には、凹部２０ａに嵌合する突出部２２が軸回り方向に１８０度位置ずれした状態で一対形成されている。そして、ホルダー１５がリール本体１１に対して強制回動されることで、突出部２２は、嵌合している任意の凹部２０ａからクリック２１を取付け片に向けて付勢するコイル２３の付勢力（抵抗）に抗して該凹部２０ａと隣接する凸部２０ｂを乗り越える移動をし、該移動後は、コイル２３の付勢力によって該凸部２０ｂと強制回動方向で隣接する凹部２０ａに嵌合するようになっている。そして、このように取付け片１８の突出部２２が凸部２０ｂを乗り越えた後にコイル２３の付勢力によって再び凹部２０ａに嵌合する際に、取付け片１８と凹部２０ａとのあいだに衝突音（クリック音）が発生するようになっている。コイル２３の付勢力はネジ１９の螺入量によって調節することができ、これによってホルダー１５の回動抵抗を調整できるようになっている。
【００１２】
前記ヨーク１６には、ネジ１９の軸心方向にクリック２１が嵌合する嵌合孔２４が形成されるが、該嵌合孔２４の内周面には、クリック２１の外周面に形成される平面状のサイドカッティング部２６に対応するカッティング部２５が形成されており、該サイドカッティング部２６をカッティング部２５に合わせるようにして、クリック２１をヨーク１６に嵌合することによってクリック２１がヨーク１６に対して回動規制された状態で取付けられるようになっている。
【００１３】
前記リール本体１１には、略水平な場所に電動リールを置いた場合に、ホルダー１５が水平を越えて上向きとならないよう上動したホルダー１５に当接してホルダー１５の上動規制をする第１ストッパー２７が形成されるとともに、ヨーク１６、１７には、ホルダー１５が水平を基準として所定の角度（本実施の形態では４５〜６０度）を超えて下向きとならないよう下動したホルダー１５に当接してホルダー１５の下動規制をする第２ストッパー２８が形成される。
【００１４】
前記リール本体１１の前面には、ランプ（一例として、ＬＥＤを使用することもできる）３０が設けられ、該ランプ３０は、電源供給部（一例として、乾電池を使用することができる）２９からの電源によって点灯し、該ランプ３０の点灯時には釣竿１４の動きを視認することができるようになっている。
【００１５】
前記ホルダー１５には、該ホルダー１５の内側面にガイド部であるガイド用突出部３１が形成され、該ガイド用突出部３１と対応するように釣竿１４の外周面には被ガイド部である結合溝３２が形成される。そして、ガイド用突出部３１を結合溝３２に差し込むことによって、釣竿１４の釣糸ガイド３３が垂直上方に向く位置で釣竿１４を維持することができる。
【００１６】
尚、ホルダー１５は、該ホルダー１５を射出成型するにあたって用いられる合成樹脂に発光物質を含ませて、射出成形されたホルダー１５が電源供給部からの電気供給によって発光するよう構成しても良い。
【００１７】
前記リール本体１１には、釣糸１２が巻装されるスプール１３をワンタッチで着脱させるワンタッチ着脱手段が設けられるが、該ワンタッチ着脱手段は、スプールシャフト１０の先端部に係合溝３４が形成される一方、スプール１３には、該係合溝３４に嵌合する第二の弾性部材３５が内装されるとともに、スプール１３の上段には、下端にくさび形のテーパ部３７が形成されたボタン３６がプッシュボタン３８に内嵌して設けられる。そしてプッシュボタン３８を押下することによってテーパ部３７の下端が下降していき、該テーパ部３７が係合溝３４に係合している第二の弾性部材３５をスプールシャフト１０の外径方向に拡開させることによって、第二の弾性部材３５と係合溝３４との係合が解除され、スプール１３のスプールシャフト１０に対する係合が解除されるようになっている。
尚、本実施の形態では、前記第二の弾性部材３５は、スプールシャフト１０の係合溝３４に着脱されるように１１字形状で形成されるロック部３９と、該ロック部３９から延長形成されるリング形状の支持部４０とで形成されたトーションスプリングが使用される。
【００１８】
また、図中の４１は、スプール１３の上段にネジで結合され、スプール１３からプッシュボタン３８及び第二の弾性部材３５の離脱を防止するスプールキャップで、４２は、スプールシャフト１０に取付けられてスプール１３を回転自在に支持するボールベアリングである。
【００１９】
叙述の如く構成された本発明の実施の形態において、図６のように、冬期に野外で氷を割ってワカサギなどの小さな魚を電動リールを利用して釣る場合、リール本体１１に装着された電源供給部２９（本実施の形態では乾電池を２本使用）からの電源を断続させるスイッチ５０を操作することにより、回転するスプール１３に釣糸１２が巻かれて、針にかかった魚を釣り上げることができる。
ここで、前記スイッチ５０を操作することでスプール１３を回転させる技術構成は、通常の電動リールのスプール回転に用いられるものと同じであるため、詳細な説明は省略する。
【００２０】
そして、前記ホルダー１５に釣竿１４を取付ける場合は、図１または図２に示すように、ホルダー１５の内側面に形成されたガイド用突出部３１に、釣竿１４の外側面に形成された結合溝３２を嵌合させるようにして釣竿１４をホルダー１５に挿入すればよく、このようにして釣竿１４をホルダー１５に取付けることによって釣糸ガイド３３が垂直状に上方向を向いた状態で釣竿１４をセットすることができ、この状態で釣りをすることが出来るようになっている。
【００２１】
そして、前記ホルダー１５がリール本体１１に対して上下回動調整自在に装着されることになっているが、釣竿１４の上下方向の位置調整をしようとする場合には、リール本体１１を略水平に載置した状態、或いは、電動リールを持ち上げた状態で、釣竿１４の基部あるいはホルダー１５を把持し、リール本体１１に対して上下方向に強制回動することでホルダー１５の上下位置調整をすることができる。
【００２２】
ここで、前記ホルダー１５を上方向に強制回動させた場合、リール本体１１に形成された第１ストッパー２７によってホルダー１５の上動が規制されるため、該規制位置（水平位置）を超えて上動することがない。また、ホルダー１５を下方向に強制回動させた場合、ヨーク１６、１７に形成された第２ストッパー２８によってホルダー１５の下動が規制されるため、水平位置を基準として所定の角度（本実施の形態では４５〜６０度）を超えて下動することがない。
【００２３】
このように、ホルダー１５をリール本体１１に対して強制的に上動或いは下動させることによって釣竿１４を上下動させることが出来るが、このようなホルダー１５のリール本体１１に対する強制回動は、突出部２２が、嵌合している任意の凹部２０ａからクリック２１を取付け片１８に向けて押圧しているコイル２３の付勢力に抗して該凹部２０ａに隣接する凸部２０ｂを乗り越える移動をすることで行われるため、強制回動がないときには、ホルダー１５はコイル２３の付勢力を受けてその回動位置に保持されることになって不用意に回動してしまうことがない。
これに対し前記強制回動に伴い突出部２２が凸部２０ｂを乗り越え移動すると、突出部２２はコイル２３の付勢力を受けて隣接する凹部２０ａに嵌合することになるが、このように取付け片１８の突出部２２が凸部２０ｂを乗り越えた後にコイル２３の付勢力によって再び凹部２０ａに嵌合する際には、取付け片１８と凹部２０ａとが衝突して衝突音（クリック音）が発生することになって、一段階の回動調整がなされたことを意識することが出来る。
【００２４】
また、前記リール本体１１のスプールシャフト１０に係合するスプール１３は、ワンタッチ方式で着脱を行うことができるため、ワカサギのような小さな魚を捕まえるときに使用される釣糸１２が極めて細いことによるスプール１３への絡まりに対処することが容易である。
つまり、スプール１３をスプールシャフト１０から離脱させようとした場合、スプール１３の上段に形成されたボタン３６を加圧すればよく、そうすることによって、ボタン３６の下段部に形成されたテーパ部３７がスプール１３に内設された第二の弾性部材３５を弾性変形させ、つまりは、１１字形で形成されたロック部３９を外径方向に拡開変形させて、スプールシャフト１０上段の係合溝３４からロック部３９を離間させ、スプール１３をスプールシャフト１０から離脱させることができる。
【００２５】
このように、スプール１３に釣糸１２が絡まった場合にプッシュボタン３８をワンタッチで加圧してリール本体１１からスプール１３を容易に分離することができるため、従来の電動リールのようにリール本体１１にスプール１３を固定するネジなどを外したりする必要がない。
【００２６】
一方、スプール１３に対する釣糸１２の巻き取りが完了すれば、スプール１３をリール本体１１にワンタッチで装着することができる。スプール１３をスプールシャフト１０に嵌合させることにより、スプール１３に内設された第二の弾性部材３５のロック部３９がスプールシャフト１０の先端部に形成されたシャフトテーパ部１０ａによって外側方向に広げられた後、第二の弾性部材３５の弾性復元力によってロック部３９がスプールシャフト１０の係合溝３４に係合することとなる。これによって、スプールシャフト１０からスプール１３が離脱することを防止することができる。
【００２７】
一方、野外で電動リールを利用して魚を釣り上げる場合、リール本体１１の前面に装着されて電源供給部２９からの電源によってランプ３０（一例として、ＬＥＤを使用）を点灯させることにより、暗い天気でも釣竿１４の上下動を視認したり、点灯するランプ３０の明かりによって心又は気持ちを安らかな状態に誘導して情緒的な安定を得ることができる。
【００２８】
前記のように、本考案の一実施例による釣用電動リールによれば、釣竿１４が着脱されるホルダー１５をリール本体１１に対して回動調整可能に取付けることにより、釣竿１４の方向を変更するために電動リールを傾けたり、電動リールをグリップして上下に動かしたりする必要がない。また、スプールに釣糸が絡まった場合、スプールをリール本体から分離させるためにネジを外すなどの作業が不要となり、スプールの分離作業を簡単にすることが出来る。
【符号の説明】
【００２９】
１０  スプールシャフト
１１  リール本体
１３  スプール
１４  釣竿
１５  ホルダー
【図１】
0003183214.tif 000003
【図２】
0003183214.tif 000004
【図３】
0003183214.tif 000005
【図４】
0003183214.tif 000006
【図５】
0003183214.tif 000007
【図６】
0003183214.tif 000008